Podtech/llm-jp-corpus-v4-ja_patent huggingface dataset:
(57)【要約】【課題】本発明は、従来の顔エステ用のマッサージロッドが有していた問題点を解決するため、磁石、光波の石、電気石、遠赤外線陶磁またはゲルマニウムにはない、ラジウム温泉などにおいて利用されている所謂ホルミシス効果を用いて更なる美容効果を引き出す方法を提供する。【解決手段】これらを解決するために顔エステ用のマッサージロッドのマッサージ部材にラジウムを原料とする放射性作用部材を取り付け、またロッド自体の素材もラジウムを原料とする。【特許請求の範囲】
【請求項１】
支持軸部材とマッサージ部材からなる顔エステ用のマッサージロッドであって、支持軸部材の一端にマッサージ部材軸を固定し、そのマッサージ部材軸に回動する第１軸カバーが設け、前記マッサージ部材の外周には数多くの部材用嵌め穴を設け、該部材用嵌め穴に放射性作用部材をはめ込み、該放射性作用部材の一部が該部材用嵌め穴の外周の外に出ており、マッサージ部材にカバー嵌合孔を設けて該カバー嵌合孔に第１軸カバーを嵌装し、マッサージ部材が第１軸カバーとともにマッサージ部材軸の中心に回動するようにしたことを特徴とする顔エステ用のマッサージロッドにおいて、放射性作用部材はラジウムを原料とする顔エステ用マッサージロッド。
【請求項２】
前記マッサージ部材の一端に部材用嵌め穴を設け、該部材用嵌め穴にはラジウムを原料とするマッサージ用部材を設け、該マッサージ用部材の部分が部材用嵌め穴の外周の外に出ていることを特徴とする請求項１に記載の顔エステ用のマッサージロッド。
【請求項３】
請求項１乃至２の特徴を有するマッサージ部材が支持軸部材より二股に取り付けられ、該マッサージ部材を二本有する顔エステ用のマッサージロッド。
【発明の詳細な説明】
【技術分野】
【０００１】本発明は、ラジウムを使用した顔エステに用いるマッサージロッドに関する。
【背景技術】
【０００２】従来、支持軸部材とマッサージ部材からなる顔エステ用のマッサージロッドには、放射性作用部材を嵌め込み、該放射性作用部材の持つ人体に有益とされる放射性エネルギー、すなわち磁力、電気、遠赤外線などの効果が期待され、マッサージ部材に磁石、光波の石、電気石、遠赤外線陶磁またはゲルマニウムを嵌め込み、それらの持つ美容効果を期待するものであった。
しかし、これらの製品が持つ放射性エネルギーは、自然界に通常存在する数値と変わりがなく、よって大きな効果は期待できなかった。
【先行技術文献】
【特許文献１】登録実用新案第３１６０７５５号
【特許文献２】特許公開２０１１−３０８７１
【特許文献３】特許公開２０１０−１７８９６１
【特許文献４】特許公開２０１０−１３１０９０
【特許文献５】特許公開２００８−３６２４７
【特許文献６】特許公開２００４−２４２７７０
【発明の概要】
【発明が解決しようとする課題】
【０００３】本発明は、従来技術が有していた問題点を解決するため、磁石、光波の石、電気石、遠赤外線陶磁またはゲルマニウムにはない、ラジウム温泉などにおいて利用されている所謂ホルミシス効果を用いて更なる美容効果を引き出すことを目的とするものである。
【課題を解決するための手段】
【０００４】請求項１は、支持軸部材とマッサージ部材からなる顔エステ用のマッサージロッドであって、支持軸部材の一端にマッサージ部材軸を固定し、そのマッサージ部材軸に回動する第１軸カバーが設け、前記マッサージ部材の外周には数多くの部材用嵌め穴を設け、該部材用嵌め穴に放射性作用部材をはめ込み、該放射性作用部材の一部が該部材用嵌め穴の外周の外に出ており、マッサージ部材にカバー嵌合孔を設けて該カバー嵌合孔に第１軸カバーを嵌装し、マッサージ部材が第１軸カバーとともにマッサージ部材軸の中心に回動するようにしたことを特徴とする顔エステ用のマッサージロッドにおいて、放射性作用部材はラジウムを原料とする顔エステ用マッサージロッド。
請求項２は、前記マッサージ部材の一端に部材用嵌め穴を設け、該部材用嵌め穴にはラジウムを原料とするマッサージ用部材を設け、該マッサージ用部材の部分が部材用嵌め穴の外周の外に出ていることを特徴とする請求項１に記載の顔エステ用のマッサージロッド。
請求項３は、請求項１乃至２の特徴を有するマッサージ部材が支持軸部材より二股に取り付けられ、該マッサージ部材を二本有する顔エステ用のマッサージロッド。
【発明の効果】
【０００５】請求項１乃至請求項３の発明により製造した物は、各部材に存する微量のラジウムが使用に伴い原子核崩壊（アルファ崩壊）し、それによって生じる放射性同位体（ラドン）が人体へのホルミシス効果が生じ、ラドン泉やラジウム泉に入湯しているのと同等の作用効果が期待され免疫細胞の活性化が期待されるという効果を有する。
またマッサージ部材が二股状に二本取り付けられていることから、従来の顔エステ用のマッサージロッドに比して人体に対する更なるホルミシス効果が期待できる。
【発明を実施するための形態】
【０００６】上記の説明のとおりラジウム、ラドンの持つホルミシス効果を担保するために本件発明にかかる放射性作用部材のラドン含有量は８．２５マッヘ単位／ｋｇ以上５０マッヘ単位／ｋｇ未満とすることが望ましい。
【産業上の利用可能性】
【０００７】本発明は、ホルミシス効果により免疫力の向上、血流の改善促進、体温の上昇などが期待できることから、産業上の利用性は高いものと思料する。
(57)【要約】【課題】雨天時の運動パフォーマンスを維持するために靴底のあいたレインシューズカバーを提案する。【解決手段】靴下から靴まで覆う一体型ビニールカバーの靴底は開いており、靴底周囲にあたる部分は伸縮ゴムで個々の靴サイズに対応できるようにしている。靴とカバーの接着は粘着材または粘着物（両面テープなど）でおこない、接着箇所は上記に同じ靴底周囲に施す様式にする。また靴下に触れる部分は伸縮ゴムを数本施すことによりフィット感を出し、風による抵抗を防ぐことにする。これにより雨天時の従来のレインシューズカバーとしての機能と、運動パフォーマンス維持を図る機能を融合させたレインシューズカバーが完成する。【選択図】図１
2012196418.tif 000002
【特許請求の範囲】
【請求項１】
底が開いているシューズカバー。
【請求項２】
シューズカバー本体の底回りに、個々の靴サイズに対応できるよう伸縮ゴムを施したことを特徴とする請求項１に記載のシューズカバー。
【請求項３】
シューズカバー本体と靴下が触れる部分には伸縮ゴムを数本施すことを特徴とする請求項１に記載のシューズカバー。
【発明の詳細な説明】
【技術分野】
【０００１】  この発明は、雨天時の運動靴を覆うシューズカバーに属する。
【背景技術】
【０００２】  従来のシューズカバーは大抵汚れ防止や雨具として機能を満たすものとして認識されてきた。その形態は様々で、靴の一部分を覆うもの、靴全体を覆うもの、足全体を覆うもの（ズボンタイプ）などがある。（例えば特許文献１、２、３参照）
【先行技術文献】
【特許文献】
【特許文献１】特開２００９−４５１８７号公報
【特許文献２】特開平１０−１０１号公報
【特許文献３】特開２００８−５７０６５号公報
【発明の概要】
【発明が解決しようとする課題】  雨天時に、ランニングやマラソンなどの陸上競技を行う際、最も重視されるべき靴底部を覆わないシューズカバーが無い。【０００３】  本発明は雨天時の運動パフォーマンス維持を図り、機能的にサポートし、かつ快適に陸上ライフが楽しめるようにすることを目的とする。
【発明を解決するための手段】
【０００４】  このような目的を達成する本発明は、コンディションの悪い雨天時でも個々の運動パフォーマンスを維持し、能力を低下させないことに大きな意味を持つものである。そのため形状は靴底を開けることで個々の能力を生かし、目標に向けたトレーニングの手助けが出来るようになる。
【発明の効果】
【０００５】  このようなシューズカバーによれば、従来どおり雨天時の靴・靴下の汚れ・濡れ・冷たさの不快感を回避できることはもちろん、マラソン大会やレースなどのタイムやスピードを重視する陸上競技にとって最も避けたい雨水による靴の重量化を避け、かつ雨による足の負担（すり傷・切り傷・まめ・怪我などのリスク）を防ぐことが出来る。
【発明を実施するための形態】
【０００６】  本発明の好適な実施形態を図面を参照して説明する。
【０００７】  図１は実施形態に係わるシューズカバーの側面図である。シューズカバー本体は靴と靴下部分を覆う一体化したビニールで構成する。
【０００８】  シューズカバー本体はナイロンよりも強度のあるビニールで作成し、運動時にこすれて起こるカサカサという不快音を軽減させる。ビニールでの作成は既存のシューズカバーでも取り入れられているので容易に作成可能である。
【０００９】  本実施形態の特徴のひとつは、シューズカバー本体と靴下と触れる部分に伸縮細ゴムを数本施していることにある。それによりフィット感を出すとともに、タイムを追及する際の風による抵抗を最小限におさえ運動パフォーマンスの維持が出来る。
【００１０】  また図１の靴底回りにも伸縮ゴムを施すことで個々の靴サイズに対応できるようにする。そしてその靴底回りと靴を粘着材または粘着物（例えばビニール・ゴム接着可能の両面テープや専用粘着フィルムなど）で接着することで靴とシューズカバーの簡易固定が可能になる。
【００１１】  さらに簡易シューズカバーのため、持ち運びは軽量・簡単で、かつ使い捨ても可能である。
【図面の簡単な説明】
【００１２】
【図１】実施形態に係るシューズカバーの側面図である。
【符号の説明】  １・・・伸縮ゴム
２・・・シューズカバー本体
【図１】
2012196418.tif 000003
(57)【要約】【課題】ツナ缶のオイルを切るとき、好みに合わせ、最大限にオイルを絞り出すための器具を提供する。【解決手段】ツナ缶の内径にフィットする、多数の小穴の開いた加圧器具を特徴とする。【選択図】図１
2012196417.tif 000002
【特許請求の範囲】
【請求項１】
小穴を設けたツナ缶オイル切り。
【請求項２】
加圧用つまみを取り付けたツナ缶オイル切り。
【請求項３】
サイズ調整機能付きツナ缶オイル切り。
【発明の詳細な説明】
【技術分野】
【０００１】この発明は、小さな穴のあいた、加圧用ひねり突起の付いた円形のツナ缶オイル切り器に関するものである。
【背景技術】
【０００２】従来、ツナ缶のオイルは蓋や、スプーンを用いてオイル切りされていた。
【先行技術文献】
【０００３】
【特許文献１】
【非特許文献１】
【発明の概況】
【発明が解決しようとする課題】
【０００４】これには次のような欠点があった。
ツナ缶のオイルは十分に切ることができなかった。
本発明は、以上のような以上のような欠点をなくすためになされたものである。
【課題を解決するための手段】
【０００５】  円形のツナ缶の内径にフィットする、円盤型のプラスチックに、多数の小穴をあけ加圧ができる取手を中央部に取り付けたものである。
本発明は、以上の構成よりなるツナ缶オイル切り器である。
【発明の効果】
【０００６】（イ）ツナ缶の内径にフィットすることで、中身を他の容器に移すことなく、ツナ缶内部のオイルを、好みに合わせて減少させることが可能である。
（ロ）加圧ひねり部周辺には小穴を開けていないのでオイルによる手の汚れが最小限に抑えられる。
（ハ）脱着式の外周部によりツナ缶の大きさに合わせて効果的にオイル切りが出来る。
（ニ）半透明、もしくは透明、透明カラーで中身の状態を可視できる。
【図面の簡単な説明】
【０００７】
【図１】本発明の正面図である。
【図２】本発明の側面図である。
【発明を実施する為の形態】
【０００８】以下、本発明を実施するための最良の形態について説明する。
ツナ缶内部にフィットする、多数の小穴の開いた加圧式オイル切り器である。
加圧つまみにより、効果的にオイルを切ることができる。
【符号の説明】
【０００９】１  オイル絞り出し用、小穴。
２  加圧用ひねり。
３  サイズ調整用、脱着式外周
【図１】
2012196417.tif 000003
【図２】
2012196417.tif 000004
(57)【要約】      （修正有）【課題】一般的な封書などの開封手段には鋏が使用されるが、この鋏の構造と掌サイズの片刃型に設け、握力で一定の直線切りを手軽にする。【解決手段】掌サイズの枠板１ｂに長身のカッター刃５，６を固定し、之に刃受け板２を組み合わせて握力で押し切る。【選択図】図２
2012196420.tif 000002
【特許請求の範囲】
【請求項１】
開封用ミニカッターに於いて、某の空間を構成した枠体に長身のカッター刃を斜角に固定し、之に刃受け板を作動自在に組み込んで片手持ちの押し切り型カッターに設けたことを特徴とする、開封用ミニカッター。
【請求項２】
上記第１項の開封用ミニカッターに於いて、パネルを含む枠体と、刃受け板の両端を切り欠き、つまみ切り用のクリップ部を設けたことを特徴とする、開封用ミニカッター。
【発明の詳細な説明】
【技術分野】
【０００１】  本発明は、封書などの簡易な開封用カッターに関するものである。
【背景技術】
【０００２】  一般に封書などの開封手段には鋏が使用されるが、之を措いて障害、
2012196420.tif 000003
【発明の開示】
【発明が解決しようとする課題】
【０００３】  鋏の構造を、片手に持って使用する押し切り型カッターに設け、直線切りを手軽にする。
【課題を解決する為の手段】
【０００４】  掌サイズの枠体に長身のカッター刃を斜角に固定し、之に刃受け板を組み合わせて握力で押し切る方式とする。
【発明の効果】
【０００５】  １．使用者の器用如何を問わず、所定の直線切りが手軽になる。
２．刃先が枠体に収まる構造のため、安全な使用ができる。
３．用途や形状に伴ない、諸種のギフト用品に利用しやすい。
【発明を実施するための最良の形態】
【０００６】  掌サイズの枠板（１ｂ）−（３）間に、縦割りの仕切りガード（４）と、その左右に長身のカッター刃（５）（６）を並置し、中心線の二方で圧着する。
が、之に先行して該固定体と交差する刃受け板（２）が嵌入される。
次に底板（７）は、スプリング（８）を介して刃受け板（２）と連結し、スプリングに抗してなる押圧（矢印）で、枠板（１ｂ）−（３）間の作動を自在にする。
又、パネル（１ａ）、枠板（１ｂ）、刃受け板（２）の両端を切り欠いて引き裂きタイプの開封用補助クリップ（９ａ）（９ｂ）を形成する。
【図面の簡単な説明】
【０００７】
【図１】パネルを外して示した本発明の平面図。
【図２】本発明の作動過程を表わす正面図。
【符号の説明】
【０００８】（１ａ）パネル
（１ｂ）（３）枠体の構成板
（２）刃受け板
（４）仕切りガード
（５）（６）カッター刃体
（７）底板
（８）スプリング
（９ａ）（９ｂ）クリップ部
（１０）カット挿入部
【図１】
2012196420.tif 000004
【図２】
2012196420.tif 000005
【手続補正書】
【提出日】平成24年6月15日(2012.6.15)
【手続補正１】
【補正対象書類名】特許請求の範囲
【補正対象項目名】全文
【補正方法】変更
【補正の内容】
【特許請求の範囲】
【請求項１】
開封用ミニカッターに於いて、枠板の支柱を兼ねる仕切りガードの左右に刃受け板つきブレードを斜角に配設し、刃受け板はその一側に軸支してスプリングを嵌め、パッドに連結したことを特徴とする、開封用ミニカッター。
【請求項２】
上記第１項の開封用ミニカッターに於いて、パネル部と刃受け板の各両端を切り欠き、つまみ切り用クリップ部を形成したことを特徴とする、開封用ミニカッター。
【手続補正２】
【補正対象書類名】明細書
【補正対象項目名】全文
【補正方法】変更
【補正の内容】
【発明の詳細な説明】
【技術分野】
【０００１】  本発明は、封書などの簡易な開封用品に関するものである。
【背景技術】
【０００２】従来より封筒の開封用カッターとして、横溝に封筒の上辺を挿入してスライド切りする方式、切り屑を出さないためにの半カット方式などが知られていた。
【先行技術文献】
【０００３】
【特許文献１】実用新案公開平６−４２２９２号公報
【特許文献２】特許公開２００４−１３６９６８号公報
【発明の概要】
【発明が解決しようとする課題】
【０００４】掌サイズにして、斜角に固定したブレードと、之に交差摺動する仕組みの刃受け板とからなるカッターを提供する。
【課題を解決するための手段】
【０００５】掌に収まる枠板に、刃受け板つきブレードを斜角に組み込み、刃受け板は一側の枠板を経てスプリングを挟み、パッドに連続して枠外からの操作を自在にする。
【発明の効果】
【０００６】１、操作の形態から安定よく使用ができるため、特に身障者や高齢者の福祉支援に役立てることができる。
２、諸種のセールス、勧誘業務などの景品に向く。
【図面の簡単な説明】
【０００７】
【図１】：パネルを外して示した、本発明の平面図。
【図２】：作業過程を表わす、本発明の正面図。
【発明を実施するための形態】
【０００８】枠板（１ｂ）（３）の支柱を兼ねる仕切りガード（４）の左右に、刃受け板（２）つきブレード（５）（６）を斜角に配設し、刃受け板（２）は、枠板（３）に軸支してスプリング（８）を挟みパッド（７）に連結する。
又、パネル（１ａ）と枠板（１ｂ）、刃受け板（２）は、夫々両端を切り欠き引き裂きタイプのつまみ切り用クリップ部（９ａ）（９ｂ）を形成する。
【符号の説明】
【０００９】（１ａ）  パネル
（１ｂ）（３）  枠板
（２）  刃受け板
（４）  仕切りガード
（５）（６）  ブレード
（７）  パッド
（８）  スプリング
（９ａ）（９ｂ）  クリップ部
（１０）  封筒上辺の挿入部
(57)【要約】【課題】量子重力理論応用ワームホールタイムマシンを作る。【解決手段】量子重力理論は相対論と異なり宇宙のトポロジーが変化し得るので１つの穴を持ったトーラスは２つの穴を持ったものに変化できこれはワームホールを作ることになりこのワームホールを利用するとタイムマシンが作れる。【選択図】なし【特許請求の範囲】
【請求項１】
（イ）量子重力理論では、一般相対論と異なり、宇宙のトポロジーが変化し得る。
（ロ）１つの穴を持ったトーラスは２つの穴を持ったものに変化でき、これはワームホールを作ることになる。
（ハ）このワームホールを利用するとタイムマシンが作れる。
以上の如く特徴を持つ量子重力理論応用ワームホールタイムマシン。
【発明の詳細な説明】
【技術分野】
【０００１】  本発明は、量子重力理論によるワームホールタイムマシンに関する。
【背景技術】
【０００２】  従来、ワームホールを作るのは難しかった。（例えば非特許文献１参照。）。【０００３】
【非特許文献１】「日経サイエンス」、２０１２年７月号、日経サイエンス社、４８頁から５７頁、
【発明の開示】
【発明が解決しようとする課題】
【０００４】  従来、ワームホールを作るのは難しかった。
【課題を解決するための手段】
【０００５】  量子重力理論でワームホールを作る。
【発明の効果】
【０００６】  ワームホールタイムマシン製造が可能となる。
【発明を実施するための最良の形態】
【０００７】    量子重力理論では、相対論と異なり、宇宙のトポロジーが変化し得る。そのことは、１つの穴を持ったトーラスは２つの穴を持ったものに変化でき、これはワームホールを作ることになる。このワームホールを利用するとタイムマシンが作れる。以上の如く特徴を持つ量子重力理論応用ワームホールタイムマシン。
【実施例】
【０００８】  非特許文献１の如く実施される。
【産業上の利用可能性】
【０００９】    量子重力理論応用ワームホールは技術的に可能なレベルで量子重力の定式化されており当業者の製造も可能と解される。
(57)【要約】【課題】  魚釣りにおいては、獲物がかかった場面において、竿先が揺れている瞬間を見逃しても、一定時間、報知動作を継続することで、獲物がかかっていることを感知しやすくする獲物感知装置を提供する。【解決手段】  可動部が支持されていない構造の振動センサ（１）、マイコン（２）、発光部（３）を主要構成部品とする構造であり、動作の例としては、平常時には発光部は点灯しているとした場合、可動部が支持されていないセンサが振動や角度変化を感知するとマイコンがその情報を受け取って発光部の動作状態を点灯から点滅に切り替える。その後、振動が停止して一定時間が経過したと判断したら、平常時の点灯状態にもどる動作を特徴とする。【選択図】図１
2012196194.tif 000002
【特許請求の範囲】
【請求項１】
振動を検出するセンサの可動部が、ばねや弾力性の有る支持構造ではなく、独立した導体と接点からなることを特徴とする振動センサと、マイコンと発光部品で構成し、振動や角度変化を感知した時から振動や角度変化が終わって一定時間経過するまで報知動作を継続する機能を有する獲物感知装置。
【発明の詳細な説明】
【技術分野】
【０００１】  本発明は、獲物感知装置に関するものである。
【背景技術】
【０００２】  従来より、釣り竿の先に電気や化学的反応による発光器を取りつけ、獲物が掛かり竿先が釣り糸を通して揺れることで、獲物がかかったことを光の揺れで感知する獲物感知装置がある。また、振動を検出するセンサ部が、ばねや弾力性の有る支持構造の発明出願は見受けられる。
【発明が解決しようとする課題】
【０００３】  ところが、前記の獲物感知装置では、目を離している短時間だけ竿先に獲物からの振動や角度変化が伝わった場合では、光の揺れを認識できないことがあった。また、先行出願のような支持構造のセンサでは、振動の方向や周期・加速度により、獲物がかかった時の振動を検出できない可能性があり、機能としては不完全であった。
【０００４】  そこで、本発明は振動や角度変化を感知してから振動や角度変化が停止した後の一定時間に渡って、獲物がかかったことを報知する動作機能と、可動部が支持されていないセンサを用いることで検出できない振動方向や振動周期、ゆっくりした角度変化に対する不感知領域が存在しないために、獲物がかかっていることをより確実に報知できるようにすることを目的とする。
【課題を解決するための手段】
【０００５】  請求項１に記載の発明は、可動部が支持されていない構造の振動センサと、マイコンと、発光部品で構成したことを要旨とする。従って、請求項１に記載の発明によれば、可動部が支持されていない構造の振動センサが感知した振動や角度変化をマイコンで処理し、発光部で点滅などの動作をさせることで、振動中および振動後の一定時間、獲物を感知したことを報知するものである。
【発明の効果】
【０００６】  請求項１に記載の発明は、釣り竿の先に取り付けることで獲物がかかった振動や角度変化で報知動作を開始し、振動や角度変化が収まってからも一定時間報知が続くことで、もし振動や角度変化していた瞬間を見逃した場合でも、容易に獲物がかかったことを判断できる。また、狩猟においては、獣道の小枝などに取り付けることで、獲物が最近通ったかを判断でき、さらに、振動や角度変化が停止してからの経過時間によって発光パターンを切り替えることで概略の経過時間を見分ける機能も実現できる。
【図面の簡単な説明】
【０００７】
【図１】本発明の実施形態を示す構成図
【図２】動作例を示すフローチャート図
【発明を実施するための形態】
【実施例】
【０００８】  以下、本発明を具体化した実施形態を図面に基づいて説明する。【０００９】  図１に示すように、可動部が支持されていない構造の振動センサ（１）、マイコン（２）、発光部品（３）が主要構成部品であり、釣り竿の先に取り付けることが出来る程度の大きさの一体構造なので、竿の特性を損ねることが少なく、着脱も容易であり、釣り糸が絡むなどのトラブルも抑えることができる構造である。動作の例としては、平常時には発光部は点灯しているとした場合、振動センサが振動や角度変化を感知するとマイコンがその情報を受け取って発光部の動作状態を点灯から点滅に切り替える。その後、振動が停止して一定時間が経過したと判断したら、平常時の点灯状態にもどる動作を特徴とする。
【符号の説明】
【００１０】１  可動部が支持されていない構造の振動センサ
２  マイコン
３  発光部品
４  電池
５  基板
６  筐体
【図１】
2012196194.tif 000003
【図２】
2012196194.tif 000004
(57)【要約】【課題】  吸水力、保水力があり、弾力性のある有機質の土壌にすることにより、大雨、ゲリラ豪雨等による土壌流失を防止しかつ冠水被害を防止する、又、１年くらいの日照りによる干害を防止する。弾力性のある有機質の土壌にすることで、根張りがよくなり、野菜が生長しやすく、微量要素等いろんな栄養の吸収が容易になり、栄養価の高い野菜を栽培できる。現代の文明の利器を使用すれば、あらゆる場所で有機栽培が可能。有機質の素材を利用することで小麦、野菜等を増産できる。【解決手段】  庭木、街路樹等の剪定木、森林開発、宅地造成等で伐採した木を集積、粉砕機にかけて、粉末状にした生バーク、自然発酵したバーク堆肥を利用。雑草、利用価値の無い木等を焼却炉で灰にし利用。生バークを利用し動物性糞を発酵させ堆肥として利用。【特許請求の範囲】
【請求項１】
吸水力、保水力を兼ね備えた層を作り、小麦、野菜栽培の表土を有機質の土壌にすることにより、冠水被害、干害を防止できる。この農法によって改良された畑では、誰もが、小麦、有機野菜栽培ができる。水が確保できれば、砂地でも野菜栽培が可能である。
【発明の詳細な説明】
【技術分野】
【００１】本発明は、赤土、黒土、砂質土壌等において、世界中で、（化成肥料を使用しなくても）野菜、小麦等を栽培できる農法です。
【背景技術】
【００２】大雨、ゲリラ豪雨時に可能な限りの土壌流失を防止し、かつ冠水被害を防止、さらに１年くらいの日照りに対して、干害防止になる農法。洪水被害を受ける低地でなければ、冠水は防止できる。
【先行技術文献】
この農法に関する文献を知らない。
【問題を解決しようとする課題】
【００３】有機質の弾力性のある土壌にすることで、小麦、野菜栽培への被害を最小限に防止する農法。
【課題を解決するための手段】
【００４】街路樹、庭木等の剪定木、また、森林開発時に伐採する木を集積し、粉砕機にかけて、できるだけ粉末状にした生バークと、それを自然発酵したバーク堆肥の使用。
生バークを使用し、馬糞、牛糞等を発酵させて使用。焼却炉での純粋な草木灰を作り使用。
【発明の効果】
【００５】吸水力、保水力を有し、大雨、ゲリラ豪雨等時の冠水被害を防止し、１年くらいの日照り続き時の干害を防止できる。弾力性のある有機質の土壌にすることで、小麦、野菜等の根張りが良くなり、微量要素を吸収し易く、栄養価の高い野菜栽培が容易になる。タンクローリー、給水車等、又は、井戸が確保出来て、水を供給し、砂漠地帯の縁から、２，３ｍの緑樹を移植する。ある程度の林が出来、蒸散作用等で水蒸気の流れができ、雨が降り、水の確保ができれば、砂漠地帯でも野菜栽培が可能である。現代の輸送手段を持ってすれば、吸水力、保水力を有するので、不毛の地である中近東辺りでも野菜栽培が確実に可能である。この地で緑の野菜を栽培し、いきなり雨が降っても、抜群の吸水力を有するので土の流失を防止できる。
(57)【要約】【課題】簡単な構造によりモーター内部の冷却効率をあげ、より高出力のモーターを提供すること。【解決手段】アウターローター保持部８−ａに放射状に穴部１７、とアウターローター保持部シャフト側に溝１６を設けモータ内部の溝１６付近の空気を遠心力によりローター外周部に排出するとともに開口部６から溝１６外気を導き、その途中にあるコイル部４に空気を当て効果的に冷却する。【選択図】図１
2012196114.tif 000002
【特許請求の範囲】
【請求項１】
小型飛行機等の機体に取り付けられプロペラを駆動するアウターローターが回転するブラシレスモーターにおいて、アウターローター保持部にあけた空気穴とアウターローター保持部内部シャフト側に形成した開口部を連結して空気の流路を形成することを特徴とする遠心力にてモーター内部の空気を排する機構。
【請求項２】
小型飛行機等の機体に取り付けられプロペラを駆動するアウターローターが回転するブラシレスモーターにおいて、アウターローター保持部にあけた空気穴とアウターローター保持部内部シャフト側に形成した開口部を連結して空気の流路を形成し遠心力にてモーター内部の空気を排する機構ならびに、アウターローター保持部の反対側にあるステーターホルダー部に空気の流入口をもつことを特徴とするモーター冷却機構およびモーター。
【発明の詳細な説明】
【技術分野】
【０００１】  本発明は、小型航空機に搭載されプロペラを駆動するアウターローターの回転するブラシレスモーターの冷却に関するものである。
【背景技術】
【０００２】  小型航空機に搭載されプロペラを駆動するモーターには冷却のため図６に記載されたものが広く知られている。【０００３】  開口部６からモーター内部に入った空気は熱を奪い暖められた後モーターシャフト１に取り付けられた遠心力による空気排出機構１０によって開口部１１よりモーター外部に放出する、このことを連続することによりモーター内部を冷却する。
【発明の概要】
【発明が解決しようとする課題】
【０００４】  しかし、空気排出機構１０を作成するには加工上の手間がかかる、また空気はステーター３とアウターローター８間の隙間部７から直接的に開口部１１に抜けることが出来るため、最も温度の上がるコイル部４に風が当たらず、冷却効率が低い欠点がある。
【課題を解決するための手段】
【０００５】上記の問題の解決のため、この発明においては図１のごとくアウターローター保持部８−ａに放射状に空気穴１７をあけるとともに、アウターローター保持部８−ａのモーター内部シャフト側に溝１６を設け、空気穴１７とつなげることによりモーター内部の空気を遠心力でモーター外部に放出する機構と、ステーターホルダー部５に開口部６を設ける。
【発明の効果】
【０００６】  ローターが回転し遠心力でモーター内部の空気を放出することによりモーター内部は大気圧よりも低い圧力となるため、開口部６より外気をモーター内に吸い込む。
開口部６と溝１６はステーターをはさむ位置にあり効率的にステーター４を冷却することが出来る。【０００７】図９にあるようなファン１０を切削加工にて作ったり、組み付けることなく空気穴１７の開口と溝１６の切削という比較的簡単な加工により遠心力を利用した排気機構を作成することが出来る。【０００８】  その結果、手間のかかる加工をすることなくモーター内部を冷却することが可能になり、より多くの電流を流すことができ出力の向上をもたらすことができる。
【図面の簡単な説明】
【図１】この発明に関わるモーターの構造、配置図
【図２】この発明に関わるモーターの外形図
【図３】図１におけるＡ−Ａ矢視図
【図４】図１におけるＢ−Ｂ矢視図
【図５】図１におけるＣ−Ｃ矢視図
【図６】従来型モーター冷却機構の構造、配置図
【図７】従来型モーターの外形図
【図８】図５におけるＡ−Ａ矢視図
【図９】図５におけるＢ−Ｂ矢視図
【図１０】図５におけるＣ−Ｃ矢視図
【発明を実施するための形態】
【０００９】  以下、この発明の実施の形態を図１に基づき小型航空機の機首にモーター、その前方にプロペラとスピンナーが搭載された場合について説明する。
【００１０】スピンナー後端面１４−ａ付近の空気はスピンナー回転による遠心力の影響によりスピンナー後端面１４−ａに沿ってモーターシャフト１から外周方向に流れる。
【００１１】このため、穴部１７から空気を吸入し開口部６から空気を排出するよりも開口部６から空気を吸入し穴部１７から空気を排出するほうが効率良く空気を流すことが出来る。
【００１２】アウターローター保持部８−ａの外周から放射状に空気通路として穴部１７を複数開け、アウターローター保持部８−ａのモーター内部シャフト側に空気吸入口となる溝１６を加工し穴部１７とつなげ、モーター内部の空気が穴部１７よりモーター外部に出ることの出来る流路を形成する。
【００１３】アウターローター部８の回転により遠心力が発生し、穴部１７内部の空気をモーター外部に放出する。
【００１４】空気が放出されたことにより負圧が発生し開口部６付近の空気を吸い込む、この作用を連続することによりコイル４付近の暖められた空気をローター８外部に押し出すとともに、開口部６より温度の低い外気を吸入しコイル部４にあてモーター内部を冷却する。
【符号の説明】  １      モーターシャフト
２      軸受け
３      ステーター
４      コイル部
５      ステーターホルダー部
６      開口部
７      隙間部
８      アウターローター部
８−ａ  アウターローター保持部
９      送風機構開口部
１０      遠心ファン
１１      開口部
１２      しきい
１３      プロペラ
１４      スピンナー
１５      マウント部
１６      溝部
１７      穴部
２１      機体本体
【図１】
2012196114.tif 000003
【図２】
2012196114.tif 000004
【図３】
2012196114.tif 000005
【図４】
2012196114.tif 000006
【図５】
2012196114.tif 000007
【図６】
2012196114.tif 000008
【図７】
2012196114.tif 000009
【図８】
2012196114.tif 000010
【図９】
2012196114.tif 000011
【図１０】
2012196114.tif 000012
(57)【要約】【課題】針金製ハンガーに洗濯物を掛けると、衣類によってはハンガー型の皺が出来たり、滑り落ちてしまうことがあった。本発明は針金製ハンガーを使用し洗濯物を干す場合の、皺防止と滑り落ち防止の洗濯物保護具を提供する。【解決手段】既成の針金製ハンガーの両端に、板状の軟質系樹脂を円形状に折り曲げ、一端を折り返して他端を挟み込み、留め具または板状内に設けられた突起物で係止することを特徴とする洗濯物保護具。【選択図】図１
2012254257.tif 000002
【特許請求の範囲】
【請求項１】
軟質系樹脂を板状で所定の形にしたものを、円形状に折り曲げ、一端を折り返して他端を挟み込み、合致する点に穴を設け、留め具または本体内突起にて係止することを特徴とする洗濯物保護具。
【発明の詳細な説明】
【技術分野】
【０００１】本発明は針金製ハンガーに設ける洗濯物保護具に関するものである。
【背景技術】
【０００２】針金製のハンガーで洗濯物を干す場合、ハンガーによる皺が出来たり、ハンガーから洗濯物が外れ落ちてしまうことがあった。また硬質の樹脂カバーを針金製ハンガーに被せると、ハンガー同士を重ねる際に嵩張った。
【先行技術文献】
【特許文献】
【０００３】
【発明の概要】
【発明が解決しようとする課題】
【０００４】  針金製ハンガーに洗濯物を掛けると、衣類の材質と形状によっては、ハンガーによる皺が生じたり、衣類がハンガーから外れて脱落してしまった。また硬質の樹脂カバーを取り付けたものでは、ハンガー同士を重ねる場合は嵩張ってしまった。
本発明は以上の問題点を解決する為になされたものである。
【発明を解決するための手段】
【０００５】  軟質系樹脂を板状で所定の形にしたものを、円形状に折り曲げ、一端を折り返して他端を挟み込み、合致する点に穴を設け、留め具または本体内突起にて係止することを特徴とする洗濯物保護具。
【発明の効果】
【０００６】  本発明により洗濯物の肩の部分に掛かる重みによって、洗濯物保護具上部が撓み、衣類の形に沿うことで、針金による皺が無くなり、洗濯物保護具上部の形状と材質により、衣類がハンガーから滑り落ちることが無くなる。
またハンガー同士を重ねた場合でも洗濯物保護具自体が軟質で形状が変化し、嵩張らない。
【図面の簡単な説明】
【０００７】
【図１】本発明の斜視図
【図２】本発明の洗濯物保護具展開図
【図３】本発明の留め具による取付状態の側面図
【図４】本発明の傘状突起による取付状態の側面図
【図５】本発明の設置時正面図
【発明を実施するための形態】
【０００８】  以下、本発明の実施の形態を説明する。
（イ）軟質系樹脂により板状に作られた洗濯物保護具（１）に滑り止めの突起部（５）を      設ける。
（ロ）洗濯物保護具（１）の滑り止めの突起部（５）部分を折り曲げ、一端を折り返して      他端を挟み込み、合致する各部分に其々穴（４）を設け、留め具（２）により挟み      込み係止する。
（ハ）別部品として留め具を設けない場合、上記穴（４）の一つを傘状突起部（６）とし      て他の穴（４）に貫通させることで係止させる。
本発明は以上のような構造である。
本発明を使用するときは  洗濯物保護具（１）を針金製ハンガー（３）両端の肩にあたる部分に滑り止めの突起部（５）を上にして下方へ折り曲げ、一端を針金製ハンガー（３）の底辺となる部分を巻き込み、他端を挟み込みながら折り返す。留め具（２）を使用する場合、其々の洗濯物保護具穴（４）を合致させ、留め具（２）により係止する。
留め具（２）は既成のオス部メス部よりなるネジ状構造のプッシュ鋲、プラネジといわれるものである。傘状突起部（６）を洗濯物保護具（１）に設けた場合、傘状突起部（６）を其々の洗濯物保護具穴（４）に貫通させ係止する。
この洗濯物保護具（１）を設けた針金製ハンガー（３）に洗濯物を掛けると、この洗濯物保護具（１）の上部が洗濯物の自重により撓んで洗濯物の形状に沿い、針金製ハンガー（３）による皺が無くなり、滑り止め突起部（５）によって洗濯物が滑り落ちることが無くなる。また針金製ハンガー（３）同士を重ね合わせる際には、洗濯物保護具（１）が撓むことで嵩張ることが少ない。
【符号の説明】
【０００９】１    洗濯物保護具
２    留め具
３    針金製ハンガー
４    洗濯物保護具穴
５    滑り止め突起部
６    傘状突起部
【図１】
2012254257.tif 000003
【図２】
2012254257.tif 000004
【図３】
2012254257.tif 000005
【図４】
2012254257.tif 000006
【図５】
2012254257.tif 000007
(57)【要約】      （修正有）【課題】花束受けと送風機が、一体型だと、花束受け取り外し後握りの部分が短く狭くなり花束のスタイルが崩れてしまう。【解決手段】花束受けケース本体１の上部内部にスクリュウ−螺子を設け，本体１下部に、送風機挿入用ガイド溝を設け，携帯送風機本体５の外側に翼６を取りつける。３個の翼６を挿入用ガイド溝に、携帯送風機本体５の上部に取り付けたファン４を，頭にして挿入の出し入れを行う。携帯送風機本体１の翼６の一つに切り込みをを設け、花束受けケース本体１に、携帯送風機固定用のピン用の穴を設ける。【選択図】図７
2012254260.tif 000002
【特許請求の範囲】
【請求項１】
本体の花束受け送風ケースの内側に，携帯送風機を挿入出きるガイド講を設け、装着固定用穴を設ける、花束受け送風ケース。
【請求項２】
携帯送風機本体の外側に、ガイドよう翼を設け、翼に送風機固定よう受けカット部分を設けた翼。
【発明の詳細な説明】
【技術分野】
【０００１】本発明は、花束受け送風ケースに、関するものである。
【背景技術】
【０００２】花束受けケース内に、携帯送風機を出し入れ出きる事、本花束受けケースを花束の握りとして、花束のスタイルを保つ、花束受け送風ケースを提供する。
【発明の開示】
【発明が解決しようとする課題】
【０００３】（イ）花束受けと、携帯送風機が一体型だと、花束受け取りだし後握りの部分が、短く狭くなり花束のスタイルが崩れてしまう。
（ロ）握りの部分から花の香りを逃がしてしまう。
【課題を解決するための手段】
【０００４】花束受けケース内部に，携帯送風機を出し入れ出きる挿入用講を設ける。
携帯送風機の翼さ部分にも固定用切り込みを付ける。
【発明効果】
【０００５】花束のスタイルを保つた状態で、携帯の送風機の出し入れが出来る。
携帯送風機取りだし後、香りを逃さない、キヤップを付けることが出来る。
【発明を実施するための最良の形態】
【０００６】花束受けケース本体（１）の上部内部にスクリュウ−螺子（２）を設け，本体（１）下部に、送風機挿入用うガイド講（３）設け，携帯送風機本体（５）の外側に翼（６）を取りつける。
３個の翼（６）を挿入用うガイド講（３）に、携帯送風機本体（５）の上部取り付けのファン（４）を，頭にして挿入の出し入れを行う、携帯送風機本体（１）の翼（６）の一つに切り込みを（７）を設ける。
花束受けケース本体（１）に、携帯送風機固定用のピン用の穴（８）を設ける。
以上を特徴とする花束受け送風ケースである。
【図面の簡単な説明】
【０００７】
【図１】本発明の正面図
【図２】本発明の一部切り欠いた側面図
【図３】本発明の平面図
【図４】本発明の底面図
【図５】本発明に取りつけるキャプの平面図
【図６】本発明に使う携帯送風機の正面図
【図７】本発明に携帯送風機を挿入した平面図
【符号の説明】
【０００８】１、花束受け送風ケース
２、花束受け内部スクリュー螺子
３、挿入用うガイド溝
４、携帯送風機ファン部分
５、携帯送風機本体
６、携帯送風機の翼
７、固定用切り込み
８、ピン用の穴
９、キヤップ
１０、キヤップの凹み部分
【図１】
2012254260.tif 000003
【図２】
2012254260.tif 000004
【図３】
2012254260.tif 000005
【図４】
2012254260.tif 000006
【図５】
2012254260.tif 000007
【図６】
2012254260.tif 000008
【図７】
2012254260.tif 000009
(57)【要約】      （修正有）【課題】雨天時にバイクや自転車に乗っても靴が濡れないようにする。【解決手段】合羽ズボンの裾幅を広げて靴底ａを付け、ズボンと靴底を一体型にすることにより靴が濡れるのを防ぐことができる。また外側両脇の足首からウエストまでを全開のファスナー開閉にすることにより、靴を履いたまま楽に着脱できるようになる。装着方法は、前身頃を靴底ａが地面につく高さに持ち上げ、全開されている両脇の足首部分から靴を履いたまま靴底部分に足を入れ、次に、ウエスト両脇で前身頃と後身頃を面ファスナーで固定し両脇の全開ファススナーを閉めることにより簡単に装着ができる。また裾裁きをよくするための足首部分のベルトを前身頃を押えるように巻くことにより、ファスナー部分からの雨の侵入を防ぐことができる。【選択図】図１
2012254269.tif 000002
【特許請求の範囲】
【請求項１】
雨天時着用する合羽ズボンで、バイク・自転車に乗るとき靴を履いたまま装着できて、尚且つ靴が濡れないようにするため、ズボンの裾に靴底を付けズボン・靴一体型とし、両脇の足首部分からウエストまでを全開のファスナー開閉にし、ウエスト両脇で面ファスナーによって前身頃と後身頃を接着し固定できるようにした、ズボンの裾に靴底を付け両脇の足首からウエストまでをファスナー開閉にして着脱する、ズボン・靴一体型を特徴とする合羽ズボン。
【発明の詳細な説明】
【技術分野】
【０００１】本考案は、雨天時合羽を着用してバイクや自転車に乗ると、ズボン部分の雨は防げても靴が濡れてしまうのを解決するためと、靴を履いたまま楽に着脱ができるよう考案したものである。
【背景技術】
【０００２】従来の合羽ズボンの裾から下の靴部分の防水は、雨靴を履くことによりなされていた。
【先行技術文献】
【特許文献】
【０００３】
【特許文献１】  ２００７−２８９０３６号
【発明の概要】
【発明が解決しようとする課題】
【０００４】雨天時、合羽を着用してバイクや自転車に乗り通勤・通学したり、仕事での営業先回りで何度も合羽を着脱するとき、靴を履いたままでは困難であるのと道中靴が濡れて靴下を取り替えなくてはならなくなる場合もしばしばある。
【課題を解決するための手段】
【０００５】本考案は、雨天時にバイクや自転車に乗っても靴が濡れないようにするためのもので、合羽ズボンの裾幅を広げて靴底を付け、ズボンと靴底を一体型にすることにより靴が濡れるのを防ぐことができる。また外側両脇の足首からウエストまでを全開のファスナー開閉にすることにより、靴を履いたまま楽に着脱できるようになる。装着方法は、前身頃を靴底が地面につく高さに持ち上げ、全開されている両脇の足首部分から靴を履いたまま靴底部分に足を入れ、次に、ウエスト両脇で前身頃と後身頃を面ファスナーで固定し両脇の全開ファススナーを閉めることにより簡単に装着ができる。また裾裁きをよくするための足首部分のベルトを前身頃を押えるように巻くことにより、ファスナー部分からの雨の侵入を防ぐことができる。
【発明の効果】
【０００６】雨天時、合羽を着用しての通勤・通学・営業には、靴が濡れないので靴下の替えが必要なくなるのと、靴を履いたまま着脱できるので装着の時間が短縮できる。
【発明を実施するための最良の形態】
【０００７】両脇のファスナー部分からの雨の侵入を防ぐために、前身頃の被せ代を深くする。また裾裁きをよくするために足首に固定ベルトを付け、それを両脇ファスナーの後身頃側から後回りにまわして、前身頃の被せ代を押えるようにして面ファスナーで固定することにより、雨の侵入を防ぐことができる。
【図面の簡単な説明】
【０００８】
【図１】  １、  靴底付合羽ズボンの着用図  ２、  両脇ファスナーの全開図
【図面の符号の説明】
【０００９】ａ    靴底
ｂ    両脇ファスナー
ｃ    前身頃面ファスナー
ｄ    後身頃面ファスナー
ｅ    裾ベルト
【図１】
2012254269.tif 000003
(57)【要約】      （修正有）【課題】突片に高速フレーム溶射することで、超硬合金の被膜を先端部分のみならず全体に均一に形成し、前記突片全体の耐磨耗性の向上と大幅なコストダウンの両立を可能とする。【解決手段】スパイク金具１０の突片１４全体に高速フレーム溶射で超硬合金を溶射し、金具の製造段階において一度に複数の突辺全体にあらかじめ定められた膜厚にて超硬合金の被膜１５を形成する事で大幅なコストダウンを可能とし、前記金具の強度及び耐磨耗性の向上も可能とする事を特徴とする。また、突辺部１４にブラスト処理を施し、表面を均一な粗面とした後に高速フレーム溶射を行い、前記突片１４と超硬合金の被膜１５の密着強度をより高める。【選択図】図１
2012254264.tif 000002
【特許請求の範囲】
【請求項１】
スパイク金具１０の突辺部分１４に高速フレーム溶射を行うことにより、前記突片部分１４の表面に膜厚を均一に保った超硬合金の被膜１５を形成し、強度及び耐磨耗性の向上を可能にした事を特徴とする野球シューズにおけるスパイク金具。
【請求項２】
前記高速フレーム溶射を行う前に前記突片部１４表面にブラスト処理を施し、表面の粗さを均一な粗面にすることにより、前記超硬合金被膜１５と前記突片１４との密着力を向上させた事を特徴とする請求項１に記載の野球シューズにおけるスパイク金具。
【請求項３】
前記高速フレーム溶射にて形成された超硬合金の被膜１５により、前記金具突片部１４の耐摩耗性、強度の向上が可能となり、前記金具１０の厚みを従来の厚みと比較して薄く作成する事が可能となり、材料費のコストダウン及び前記金具１０の軽量化を特徴とする請求項１ないし請求項２の何れかに記載の野球シューズにおけるスパイク金具。
【発明の詳細な説明】
【技術分野】
【０００１】この発明は、野球靴の靴裏面に設けられるスパイク金具に関する。
【背景技術】
【０００２】野球シューズのスパイクはスパイク金具の強度及び耐磨耗性の向上を図る為、金具突片の先端部分に超硬合金等のチップ（小片）を溶接する技術はすでに既知の技術となっている。
（実公昭３３−７４６５号公報、特許第２９９１９６１号参照）。【０００３】しかしながら前記チップの溶接は前記金具の突片部毎に溶接を行う為に、通常複数の突片が設けられることが要求される野球シューズのスパイク金具では依然コスト高となっており、かつ前記突片部分の先端のみに前記チップの溶接がなされているので、先端部以外の磨耗に関しては従来と同様に磨耗してしまう。したがって運動時に突片部に大きな負荷がかかった際に磨耗の少ない前記突片先端部と従来と同様に磨耗する先端部以外の境界部付近で、前記突片部が破損する事が懸念される。また、前記突片部全体に前記チップを溶接する事で前記破損は回避可能であるが、更にコスト高の原因となると共に溶接の接合にムラが出来る。
【先行技術文献】
【特許文献】
【０００４】
【特許文献１】実公昭３３−７４６５号公報
【特許文献２】特許第２９９１９６１号
【発明の概要】
【発明が解決しようとする課題】
【０００５】本発明は複数の前記突片１４に高速フレーム溶射することで、超硬合金の被膜１５を先端部分のみならず全体に均一に形成し、前記突片１４全体の耐磨耗性の向上と大幅なコストダウンの両立を可能とし、金具以外のシューズ部品の磨耗、破損による野球シューズの寿命までに磨耗、破損による前記金具の交換を行う必要がない事を特徴とする野球シューズにおけるスパイク金具１０である。
【課題を解決するための手段】
【０００６】上記目的を達成するために、本発明はスパイク金具１０の突片１４全体に高速フレーム溶射で超硬合金を溶射し、前記金具１０の製造段階において一度に複数の前記突辺１４全体にあらかじめ定められた膜厚にて超硬合金の被膜１５を形成する事で大幅なコストダウンを可能とし、前記金具の強度及び耐磨耗性の向上も可能とする事を特徴とする。【０００７】前記突辺部１４にブラスト処理を施し、表面を均一な粗面とした後に前記高速フレーム溶射を行い、前記突片１４と超硬合金の被膜１５の密着強度をより高める。【０００８】また従来の超硬チップを溶接した前記金具１０の厚みは１．６ｍｍ、超硬チップを溶接していない大部分の野球シューズにおけるスパイク金具の厚みは２．０〜１．４ｍｍである。本発明により、前記金具突片部１７の強度及び耐磨耗性の向上が可能となる事から、前記金具１０の厚みを１．３〜１．１ｍｍで形成する事が可能となり野球シューズ全体の更なる軽量化を図る事が可能である事を特徴とする。
【発明の効果】
【０００９】以上説明したように、本発明のスパイク金具１０は前記突片１４表面に高速フレーム溶射を用いて超硬合金被膜１５を形成し、突片１４全体の耐摩耗性、強度の向上を図る事で金具以外のシューズ部品の磨耗、破損による野球シューズの寿命までに、磨耗、破損による前記金具１０の交換を行う必要がなく、金具の材料である鋼材の従来の厚みよりも薄い厚みで金具を形成出して、シューズ全体の軽量化も可能となる。
また、金具の製造段階において一度に複数の前記突片１４に均一な前記超硬合金被膜１５を形成可能である事から従来の超硬合金チップを溶接する方法より大幅なコストダウンも可能である。
【図面の簡単な説明】
【００１０】
【図１】本発明に係わる野球シューズのスパイク金具の斜視図
【図２】同金具を樹脂製の靴底にインサート成型した時の斜視図
【発明を実施するための形態】
【００１１】以下、本発明の実施の形態を図面に基づいて説明する。
図１は、本発明によるスパイク１０を示しており、スパイク本体１１は高速フレーム溶射が可能な高炭素鋼、好ましい実施例としてはＳＵＳ４２０、ＳＵＳ４４０及びＳＣＭ材などの鋼材を打ち抜き、曲げ加工して形成され、取り付け孔１２を設けた基板１３と該基板１３に対してほぼ直角に立ち上がるＶ字形状の突片１４からなる。
【００１２】本発明のスパイク１０はスパイク本体１０の突片１４全体に高速フレーム溶射で超硬合金を溶射し前記突片部１４の表面全体に膜厚を均一にして前記超硬合金被膜１５を形成する事を特徴とする。
【００１３】図２は、本発明におけるスパイク１０を樹脂製の靴底１６にインサート成型した状態を示しており、上記のスパイク１０における突片１４に形成された超硬合金被膜は靴底より突出する突片１７の先端１８までの範囲のみでも良い。
【００１４】突片１４の表面にブラスト加工を施し、表面を１０〜２μｍの粗面とした後に高速フレーム溶射を行い、前記超硬合金被膜と突片との密着力を向上させる事も可能である。
【符号の説明】１０  スパイク金具
１１  スパイク本体
１２  取り付け孔
１３  基板
１４  突片部
１５  超硬合金被膜  ※図のハッチング部
１６  樹脂製の靴底
１７  突片部
１８  突片１７の先端部
【図１】
2012254264.tif 000003
【図２】
2012254264.tif 000004
(57)【要約】      （修正有）【課題】歯と歯茎の歯周ポケットや歯と歯の間の奥までブラシが入り、特に歯を抜歯した時に成形されるブリッジ状の部分で、義歯と歯茎の部分の空間にブラシが入る様にする。歯磨きに使われる歯ブラシにおいて、より効果のある磨きができるように形状。【解決手段】歯ブラシ１のブラシ２部分を縦に複数一列の形状とした。【選択図】図１
2012254263.tif 000002
【特許請求の範囲】
【請求項１】
歯ブラシのブラシ部分を縦に複数一列の形状とした歯ブラシ。
【発明の詳細な説明】
【技術分野】
【０００１】本発明は歯磨きに使われる歯ブラシにおいて、より効果のある磨きができるように形状を考案したものである。
【背景技術】
【０００２】従来の歯ブラシは、歯の先端から歯茎の部分まで全体を磨ける形状であるが、歯と歯茎の歯周ポケットや歯と歯の間の奥まではブラシが入り難い形状となっている。
特に歯を抜歯した時に成形されるブリッジ状の部分では、義歯と歯茎の部分に空間があり、その空間にまではブラシが入らない。
【発明の概要】
【発明が解決しようとする課題】
【０００３】歯と歯茎の歯周ポケットや歯と歯の間の奥までブラシが入り、特に歯を抜歯した時に成形されるブリッジ状の部分で、義歯と歯茎の部分の空間にブラシが入る様にする。
【課題を解決するための手段】
【０００４】従来、歯ブラシのブラシ部分は縦長で縦横に複数のブラシがあるが、横の部分を単数とし縦に一列のブラシ形状とする。
【発明の効果】
【０００５】歯ブラシのブラシ部分が縦一列の形状であれば、従来の歯ブラシの横に複数あるブラシの、歯とブラシ間の抵抗が軽減されるため、より奥まで入り易くなる。
従って、歯と歯茎の歯周ポケットや歯と歯の間の奥まで入り易く、また歯を抜歯した時に成形されるブリッジ状の部分で、義歯と歯茎の部分の空間にブラシが入り、より丁寧な歯磨きが可能となる。
【図面の簡単な説明】
【０００６】
【図１】本発明の平面図
【図２】本発明の側面図
【図３】本発明の正面図
【符号の説明】
【０００７】１は歯ブラシ本体    ２はブラシ
【図１】
2012254263.tif 000003
【図２】
2012254263.tif 000004
【図３】
2012254263.tif 000005